(57)【特許請求の範囲】
【請求項１】
一方の建物の外壁面より外方へ突出し、先端床面が傾斜面に形成された一方の渡り通路と、この一方の渡り通路側の前記一方の建物と目地部を介して建てられた他方の建物の外壁面より外方へ突出し、前記一方の渡り通路の先端部と接続される部位の先端床面がほぼ同一寸法の床目地部が形成される傾斜面に形成された他方の渡り通路と、前記一方の渡り通路の床面にスライド移動可能で先端部が前記床目地部へ突出するように設けられた一方の床目地プレートと、前記他方の渡り通路の床面にスライド移動可能で、先端部が前記床目地部へ突出し前記一方の床目地プレートと枢支ピンで枢支されて水平方向に回動可能に重なり合う他方の床目地プレートとからなることを特徴とする渡り通路。
【請求項２】
一方の建物の外壁面より外方へ突出し、先端床面が傾斜面に形成された一方の渡り通路と、この一方の渡り通路側の前記一方の建物と目地部を介して建てられた他方の建物の外壁面より外方へ突出し、前記一方の渡り通路の先端部と接続される部位の先端床面がほぼ同一寸法の床目地部が形成される傾斜面に形成された他方の渡り通路と、前記一方の渡り通路の床面にスライド移動可能で支持凹部が形成された先端部が前記床目地部へ突出するように設けられた一方の床目地プレートと、前記他方の渡り通路の床面にスライド移動可能で、前記一方の床目地プレートの支持凹部に水平方向に回動可能に支持される支持片が形成された先端部が前記床目地へ突出する他方の床目地プレートと、この他方の床目地プレートと前記一方の床目地プレートとを水平方向に回動可能に枢支する、該他方の床目地プレートの支持片および一方の床目地プレートの支持凹部部位で枢支された枢支ピンとからなることを特徴とする渡り通路。
【請求項３】
一方の建物の外壁面より外方へ突出し、先端床面が傾斜面に形成された一方の渡り通路と、この一方の渡り通路側の前記一方の建物と目地部を介して建てられた他方の建物の外壁面より外方へ突出し、前記一方の渡り通路の先端部と接続される部位の先端床面がほぼ同一寸法の床目地部が形成される傾斜面に形成された他方の渡り通路と、前記一方の渡り通路の床面にスライド移動可能で先端部が前記床目地部へ突出するように設けられた一方の床目地プレートと、前記他方の渡り通路の床面にスライド移動可能で、先端部が前記床目地部へ突出し前記一方の床目地プレートと枢支ピンで枢支されて水平方向に回動可能に重なり合う他方の床目地プレートと、この他方の床目地プレートの他方の建物の外壁面側に固定された先端部に前記一方の建物の外壁面にスライド移動可能で、常時当接するように付勢された伸縮カバーを備えた内側手摺部材と、前記他方の床目地プレートの反他方の建物の外壁面側に固定された他方の外側手摺部材と、前記一方の床目地プレートの反一方の建物の外壁面側に固定された一方の外側手摺部材と、この一方の外側手摺部材の先端部および前記他方の外側手摺部材の先端部との間に隙間が生じるのを防止し、かつ該一方の外側手摺部材と他方の外側手摺部材の水平方向の回動が可能な接続部材とからなることを特徴とする渡り通路。
【発明の詳細な説明】
【技術分野】
【０００１】
本発明は目地部を介して設けられた左右の建物を連通する渡り通路に関する。
【背景技術】
【０００２】
従来、一方の建物の外壁面より外方に突出し先端床面が傾斜面に形成された一方の渡り通路と、この一方の渡り通路側の前記一方の建物と目地部を介して建てられた他方の建物の外壁面より外方に突出し前記一方の渡り通路の先端部と接続される部位の先端床面がほぼ同一寸法の床目地部が形成される傾斜面に形成された他方の渡り通路とには、一端部が前記他方の渡り通路の先端部の床面と該通路方向にスライド移動可能に支持され、他端部が前記一方の渡り通路の先端部の床面と該通路方向にスライド移動可能に取付けられた前記床目地部を覆う直角形状の床目地プレートが設置されていた。
【０００３】
このため、左右の建物が地震で異なる前後左右方向に揺れ動いた場合には、その揺れ動きを吸収することができるが、地震時に左右の建物が異なる前後左右方向以外に水平方向へ回動するように揺れ動くことがあり、この場合には床用目地プレートあるいは、これを取付けている部位が損傷してしまうという欠点があった。
【特許文献１】特許第２９５１５９９号
【発明の開示】
【発明が解決しようとする課題】
【０００４】
本発明は以上のような従来の欠点に鑑み、左右の建物が異なる前後左右方向および異なる水平方向に回動するような揺れ動きが生じても、損傷することなくその揺れ動きを吸収することができ、安全に使用することができる渡り通路を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物の外壁面より外方へ突出し、先端床面が傾斜面に形成された一方の渡り通路と、この一方の渡り通路側の前記一方の建物と目地部を介して建てられた他方の建物の外壁面より外方へ突出し、前記一方の渡り通路の先端部と接続される部位の先端床面がほぼ同一寸法の床目地部が形成される傾斜面に形成された他方の渡り通路と、前記一方の渡り通路の床面にスライド移動可能で先端部が前記床目地部へ突出するように設けられた一方の床目地プレートと、前記他方の渡り通路の床面にスライド移動可能で、先端部が前記床目地部へ突出し前記一方の床目地プレートと枢支ピンで枢支されて水平方向に回動可能に重なり合う他方の床目地プレートとで渡り通路を構成している。
【０００７】
本発明は一方の建物の外壁面より外方へ突出し、先端床面が傾斜面に形成された一方の渡り通路と、この一方の渡り通路側の前記一方の建物と目地部を介して建てられた他方の建物の外壁面より外方へ突出し、前記一方の渡り通路の先端部と接続される部位の先端床面がほぼ同一寸法の床目地部が形成される傾斜面に形成された他方の渡り通路と、前記一方の渡り通路の床面にスライド移動可能で支持凹部が形成された先端部が前記床目地部へ突出するように設けられた一方の床目地プレートと、前記他方の渡り通路の床面にスライド移動可能で、前記一方の床目地プレートの支持凹部に水平方向に回動可能に支持される支持片が形成された先端部が前記床目地へ突出する他方の床目地プレートと、この他方の床目地プレートと前記一方の床目地プレートとを水平方向に回動可能に枢支する、該他方の床目地プレートの支持片および一方の床目地プレートの支持凹部部位で枢支された枢支ピンとで渡り通路を構成している。
【０００８】
本発明は一方の建物の外壁面より外方へ突出し、先端床面が傾斜面に形成された一方の渡り通路と、この一方の渡り通路側の前記一方の建物と目地部を介して建てられた他方の建物の外壁面より外方へ突出し、前記一方の渡り通路の先端部と接続される部位の先端床面がほぼ同一寸法の床目地部が形成される傾斜面に形成された他方の渡り通路と、前記一方の渡り通路の床面にスライド移動可能で先端部が前記床目地部へ突出するように設けられた一方の床目地プレートと、前記他方の渡り通路の床面にスライド移動可能で、先端部が前記床目地部へ突出し前記一方の床目地プレートと枢支ピンで枢支されて水平方向に回動可能に重なり合う他方の床目地プレートと、この他方の床目地プレートの他方の建物の外壁面側に固定された先端部に前記一方の建物の外壁面にスライド移動可能で、常時当接するように付勢された伸縮カバーを備えた内側手摺部材と、前記他方の床目地プレートの反他方の建物の外壁面側に固定された他方の外側手摺部材と、前記一方の床目地プレートの反一方の建物の外壁面側に固定された一方の外側手摺部材と、この一方の外側手摺部材の先端部および前記他方の外側手摺部材の先端部との間に隙間が生じるのを防止し、かつ該一方の外側手摺部材と他方の外側手摺部材の水平方向の回動が可能な接続部材とで渡り通路を構成している。
【発明の効果】
【０００９】
以上の説明から明らかなように、本発明にあっては次に列挙する効果が得られる。
【００１０】
（１）とで構成されているので、一方の建物と他方の建物が異なる水平方向に地震等で揺れ動いても、一方の床目地プレートと他方の床目地プレートが枢支ピンを支点に水平方向に回動して、その揺れ動きを吸収し、損傷するのを防止することができる。
【００１１】
（２）前記（１）によって、異なる前後左右方向に揺れ動いた場合、一方の床目地プレートと他方の床目地プレートが前後左右方向に一方の渡り通路と他方の渡り通路の床面をスライド移動して、その揺れ動きを吸収することができる。
【００１２】
（３）前記（１）によって、一方の床目地プレートと他方の床目地プレートの先端部を床目地部で重なり合うようにして、枢支ピンで枢支するだけでよいので、構造が簡単で、容易に設置することができる。
【００１３】
（４）請求項２も前記（１）〜（３）と同様な効果が得られる。
【００１４】
（５）請求項３も前記（１）〜（３）と同様な効果が得られるとともに、内側手摺部材、他方の外側手摺部材および一方の外側手摺部材が、一方の建物と他方の建物の異なる前後左右方向や水平方向に揺れ動いても、その揺れ動きを吸収して、安全に使用することができる。
【発明を実施するための最良の形態】
【００１５】
以下、図面に示す本発明を実施するための最良の形態により、本発明を詳細に説明する。
【００１６】
図１ないし図９に示す本発明を実施するための最良の第１の形態において、１は本発明の渡り通路で、この渡り通路1は一方の建物２の外壁面３より外方へ突出し、先端床面が傾斜面４に形成された一方の渡り通路５と、この一方の渡り通路５側の前記一方の建物２と目地部６を介して建てられた他方の建物７の外壁面８より外方へ突出し、前記一方の渡り通路５の先端部と接続される部位の先端床面がほぼ同一寸法の床目地部９が形成される傾斜面９に形成された他方の渡り通路１０と、前記一方の渡り通路５の床面５ａにスライド移動可能で、支持凹部１１が形成された先端部が前記床目地部９へ突出するように設けられた一方の床目地プレート１２と、前記他方の渡り通路１０の床面１０ａにスライド移動可能で前記一方の床目地プレート１２の支持凹部１１に水平方向に回動可能に支持される端部が弧状の支持片１３が先端部に形成された他方の床目地プレート１４と、この他方の床目地プレート１４と前記一方の床目地プレート１２とを水平方向に回動できるように取付ける、前記支持片１３と前記支持凹部１１部位に取付けられた枢支ピン１５と、前記他方の床目地プレート１４の他方の建物７の外壁面８側に下端部が固定された壁板状の内側手摺部材本体１６、この内側手摺部材本体１６の前記一方の建物２側に内装された付勢スプリング１７によってスライド移動可能に取付けられた一端部が閉塞された、常時一方の建物２の外壁面３にスライド移動可能に当接するスライドカバー１８とを備える内側手摺部材１９と、前記他方の床目地プレート１４の反他方の建物７の外壁面８側に下端部が固定された壁板状の他方の外側手摺部材２０と、前記一方の床目地プレート１２の反一方の建物２の外壁面３側に固定された一方の外側手摺部材２１と、この一方の外側手摺部材２１の先端部にスライド移動可能で、先端部が前記他方の外側手摺部材２０の先端部の側面と当接するように、常時内装した付勢スプリング２２で付勢された先端部が閉塞されたスライドカバー２３で構成された接続部材２４と、前記内側手摺部材１９の内側手摺部材本体１６の上部をスライド移動可能に支持する他方の建物７の外壁面８に取付けられた内側手摺部材支持金具２５と、前記他方の外側手摺部材２０、前記一方の外側手摺部材２１を他方の外側通路１０の外側壁２６、前記一方の外側通路５の外側壁２７に対してスライド移動可能に支持する一方の外側手摺部材支持金具２８および、他方の外側手摺部材支持金具２９と、前記一方の建物２の一方の渡り通路５が形成されていない部位の外壁面３に取付けられた一方の床目地プレート１２をスライド移動可能に支持するレール３０とで構成されている。
【００１７】
上記構成の渡り通路１は地震で一方の建物２と他方の建物７とが異なる前後方向に揺れ動いた場合には、図７に示すように他方の床目にプレート１４によって枢支ピン１５で接続された一方の床目地プレート１２が前後方向にスライド移動するとともに、内側手摺部材１９のスライドカバー１８が一方の建物２の外壁面３に当接した状態でスライド移動して、その揺れ動きを吸収する。
【００１８】
一方の建物２と他方の建物７とが異なる左右方向に揺れ動いた場合には、図８に示すように一方の床目地プレート１２によって枢支ピン１５で接続された他方の床目地プレート１４が左右方向にスライド移動してその揺れ動きを吸収する。
【００１９】
一方の建物２と他方の建物７とが異なる水平方向に揺れ動いた場合には、図９に示すように一方の床目地プレート１２と他方の床目地プレート１４は枢支ピン１５を支点に回動して、その揺れ動きを吸収する。
なお、この場合、内側手摺部材１９のスライドカバー１８は一方の建物２の外壁面３に付勢スプリング１７で当接されているだけであるとともに、一方の外側手摺部材２１と他方の外側手摺部材２０は接続部材２６で隙間が生じることなく水平方向に回動可能に接続されているため、一方の床目地プレート１２と他方の床目地プレート１４の水平方向の回動に追従して、容易に水平方向の回動ができる。
[発明を実施するための異なる形態]
【００２０】
次に、図１０ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１０ないし図１３に示す本発明を実施するための第２の形態において、前記本発明を実施するための最良の第１の形態と主に異なる点は、一方の床目地プレート１２と他方の床目地プレート１４の先端部１２ａ、１４ａの先端部側を枢支ピン１５で枢支するとともに、反先端部１２ａ、１４ａ  側間に水平方向の回動が可能な隙間３１を形成した点で、このように構成した渡り通路１Ａにしても、前記本発明を実施するための最良の第１の形態と同様な作用効果が得られる。
【００２２】
図１４ないし図１６に示す本発明を実施するための第３の形態において、前記本発明を実施するための最良の第１の形態と主に異なる点は、内側手摺部材本体１６Ａの先端部より付勢スプリング１７で常時外方へ突出するスライドプレート３２を設けた内側手摺部材１９Ａと、一方の外側手摺部材２１Ａの先端部より付勢スプリング２２で常時他方の外側手摺部材２０の先端部側面に当接するように付勢されたスライドプレート３３を接続部材２４Ａとして用いた点で、このように構成した渡り通路１Ｂにしても、前記本発明を実施するための最良の第１の形態と同様な作用効果が得られる。
【００２３】
なお、前記本発明を実施するための各形態では内側手摺部材本体１６、一方の外側手摺部材２１および他方の外側手摺部材２０を壁板状のものを用いたが、本発明はこれに限らず、格子状あるいは所定間隔でバー部材を枠部材に固定したものを用いてもよい。
【産業上の利用可能性】
【００２４】
本発明は渡り通路を作る産業で利用される。
【図面の簡単な説明】
【００２５】
【図１】本発明を実施するための最良の第１の形態の平面図。
【図２】図１の２−２線に沿う断面図。
【図３】図１の３−３線に沿う断面図。
【図４】一方の渡り通路と他方の渡り通路を示す説明図。
【図５】一方の床目地プレートの説明図。
【図６】他方の床目地プレートの説明図。
【図７】異なる前後方向の動作説明図。
【図８】異なる左右方向の動作説明図。
【図９】異なる水平方向の動作説明図。
【図１０】本発明を実施するための第２の形態の平面図。
【図１１】一方の床目地プレートの説明図。
【図１２】他方の床目地プレートの説明図。
【図１３】異なる水平方向の動作説明図。
【図１４】本発明を実施するための第３の形態の平面図。
【図１５】図１４の１５−１５線に沿う拡大断面図。
【図１６】図１５の１６−１６線に沿う拡大断面図。
【符号の説明】
【００２６】
１、１Ａ、１Ｂ：渡り通路、        ２：一方の建物、
３：外壁面、                                                ４：傾斜面、
５：一方の渡り通路、                    ６：目地部、
７：他方の建物、                            ８：外壁面、
９：床目地部、                                ９：傾斜面、
１０：他方の渡り通路、                １１：支持凹部、
１２：一方の床目地プレート、    １３：支持片、
１４：他方の床目地プレート、    １５：枢支ピン、
１６、１６Ａ：内側手摺部材本体、
１７：付勢スプリング、                １８：スライドカバー、
１９、１９Ａ：内側手摺部材、    ２０：他方の外側手摺部材、
２１：一方の外側手摺部材、        ２２：付勢スプリング、
２３：スライドカバー、                ２４、２４Ａ：接続部材、
２５：内側手摺部材支持金具、    ２６：外側壁、
２７：外側壁、                                
２８：一方の外側手摺部材支持金具、
２９：他方の外側手摺部材支持金具、
３０：レール、                                ３１：隙間、
３２：スライドプレート、                        ３３：スライドプレート。
【図１】
0004801635.tif 000002
【図２】
0004801635.tif 000003
【図３】
0004801635.tif 000004
【図４】
0004801635.tif 000005
【図５】
0004801635.tif 000006
【図６】
0004801635.tif 000007
【図７】
0004801635.tif 000008
【図８】
0004801635.tif 000009
【図９】
0004801635.tif 000010
【図１０】
0004801635.tif 000011
【図１１】
0004801635.tif 000012
【図１２】
0004801635.tif 000013
【図１３】
0004801635.tif 000014
【図１４】
0004801635.tif 000015
【図１５】
0004801635.tif 000016
【図１６】
0004801635.tif 000017